【手続補正書】
【提出日】平成27年3月6日(2015.3.6)
【手続補正１】
【補正対象書類名】明細書
【補正対象項目名】発明の名称
【補正方法】変更
【補正の内容】
【発明の名称】印刷システム、端末装置、印刷装置、及び印刷装置の制御方法
【手続補正２】
【補正対象書類名】明細書
【補正対象項目名】０００１
【補正方法】変更
【補正の内容】
【０００１】
本発明は、印刷システム、端末装置、印刷装置、及び印刷装置の制御方法に関する。
【手続補正３】
【補正対象書類名】明細書
【補正対象項目名】０００７
【補正方法】変更
【補正の内容】
【０００７】
そこで、本発明は通信回線のトラフィックを圧迫することなく、セキュリティを確保して複数人に同じ文書ファイルを印刷出力させることができる印刷システム、端末装置、印刷装置、及び印刷装置の制御方法を提供するものである。
【手続補正４】
【補正対象書類名】明細書
【補正対象項目名】０００８
【補正方法】変更
【補正の内容】
【０００８】
上記課題は本発明によれば、第１及び第２の端末装置と印刷装置とがネットワークを介して接続された印刷システムにおいて、前記第１の端末装置は、印刷データを印刷出力する許可を与えるための情報と該印刷データを識別するための情報とを含む許可情報を付加した該印刷データを前記印刷装置に送信する印刷データ送信手段と、前記第２の端末装置に前記許可情報を送信する許可情報送信手段と、を有し、前記第２の端末装置は、前記第１の端末装置から送信された前記許可情報を受信する許可情報受信手段と、前記許可情報受信手段によって受信した前記許可情報に基づいて、前記印刷装置に対して前記印刷データの印刷を指示するための印刷指示情報を作成する印刷指示情報作成手段と、前記印刷指示情報作成手段により作成された前記印刷指示情報を前記印刷装置に送信する印刷指示情報送信手段と、を有し、前記印刷装置は、前記許可情報が付加された前記印刷データを受信する印刷データ受信手段と、前記印刷データ受信手段によって受信した前記印刷データを記憶する記憶部と、前記印刷指示情報を受信する印刷指示情報受信手段と、前記印刷指示情報受信手段によって受信した前記印刷指示情報に含まれる前記許可情報に対応した前記印刷データを前記記憶部から読み出し、該印刷データに基づいて印刷出力する印刷処理部と、を有することを特徴とする印刷システムを提供することによって達成される。
上記課題は本発明によれば、印刷装置とネットワークを介して接続された端末装置において、印刷データを印刷出力する許可を与えるための情報と該印刷データを識別するための情報とを含む許可情報を付加した該印刷データを前記印刷装置に送信する印刷データ送信手段と、前記印刷装置に送信した前記印刷データを他の端末装置から印刷を指示できるようにするために、該他の端末装置に前記許可情報を送信する許可情報送信手段と、を有することを特徴とする端末装置を提供することによって達成される。
上記課題は本発明によれば、印刷装置とネットワークを介して接続された端末装置において、他の端末装置が前記印刷装置に送信し該印刷装置に記憶されている印刷データを印刷出力する許可を与えられるための情報と該印刷データを識別するための情報とを含む許可情報を該他の端末装置から受信する許可情報受信手段と、前記許可情報受信手段によって受信した前記許可情報に基づいて、前記印刷装置に対して前記印刷データの印刷を指示するための印刷指示情報を作成する印刷指示情報作成手段と、前記印刷指示情報作成手段により作成された前記印刷指示情報を前記印刷装置に送信する印刷指示情報送信手段と、を有することを特徴とする端末装置を提供することによって達成される。
上記課題は本発明によれば、端末装置とネットワークを介して接続された印刷装置において、印刷データを印刷出力する許可が与えられているかどうかを判断するための情報と該印刷データを識別するための情報とを含む許可情報が付加された該印刷データを受信する印刷データ受信手段と、前記印刷データ受信手段によって受信した前記印刷データを記憶する記憶部と、前記許可情報が含まれ、前記印刷データの印刷が指示される印刷指示情報を受信する印刷指示情報受信手段と、前記印刷指示情報受信手段によって受信した前記印刷指示情報に含まれる前記許可情報に対応した前記印刷データを前記記憶部から読み出し、該印刷データに基づいて印刷出力する印刷処理部と、を有することを特徴とする印刷装置を提供することによって達成される。
上記課題は本発明によれば、端末装置とネットワークを介して接続された印刷装置の制御方法において、印刷データを印刷出力する許可が与えられているかどうかを判断するための情報と該印刷データを識別するための情報とを含む許可情報が付加された該印刷データを受信する処理と、前記受信した前記印刷データを記憶部に記憶する処理と、前記許可情報が含まれ、前記印刷データの印刷が指示される印刷指示情報を受信する処理と、前記印刷指示情報に含まれる前記許可情報に対応した前記印刷データを前記記憶部から読み出し、該印刷データに基づいて印刷出力する印刷処理と、を行うことを特徴とする印刷装置の制御方法を提供することによって達成される。
【手続補正５】
【補正対象書類名】明細書
【補正対象項目名】０００９
【補正方法】変更
【補正の内容】
【０００９】
本発明によれば、通信回線のトラフィックを軽減させることができ、セキュリティを確保して複数人に同じ文書ファイルを印刷出力させることができる。
【手続補正６】
【補正対象書類名】特許請求の範囲
【補正対象項目名】全文
【補正方法】変更
【補正の内容】
【特許請求の範囲】
【請求項１】
第１及び第２の端末装置と印刷装置とがネットワークを介して接続された印刷システムにおいて、
前記第１の端末装置は、
印刷データを印刷出力する許可を与えるための情報と該印刷データを識別するための情報とを含む許可情報を付加した該印刷データを前記印刷装置に送信する印刷データ送信手段と、
前記第２の端末装置に前記許可情報を送信する許可情報送信手段と、を有し、
前記第２の端末装置は、
前記第１の端末装置から送信された前記許可情報を受信する許可情報受信手段と、
前記許可情報受信手段によって受信した前記許可情報に基づいて、前記印刷装置に対して前記印刷データの印刷を指示するための印刷指示情報を作成する印刷指示情報作成手段と、
前記印刷指示情報作成手段により作成された前記印刷指示情報を前記印刷装置に送信する印刷指示情報送信手段と、を有し、
前記印刷装置は、
前記許可情報が付加された前記印刷データを受信する印刷データ受信手段と、
前記印刷データ受信手段によって受信した前記印刷データを記憶する記憶部と、
前記印刷指示情報を受信する印刷指示情報受信手段と、
前記印刷指示情報受信手段によって受信した前記印刷指示情報に含まれる前記許可情報に対応した前記印刷データを前記記憶部から読み出し、該印刷データに基づいて印刷出力する印刷処理部と、
を有することを特徴とする印刷システム。
【請求項２】
前記許可情報は、前記第１の端末装置を示す認証情報を含むことを特徴とする請求項１記載の印刷システム。
【請求項３】
前記印刷指示情報は、前記第２の端末装置からの印刷指示であることを示す情報を含み、
前記印刷装置は、前記印刷指示情報の受信に応じて印刷出力した場合は、該印刷指示情報に含まれる前記第２の端末装置の情報に基づいて、印刷出力した履歴情報である印刷ログ情報を保存する、
ことを特徴とする請求項１または２に記載の印刷システム。
【請求項４】
前記印刷装置は、
前記第１の端末装置によって前記印刷データが該印刷装置に送信される際に設定された該印刷データの保存期間に基づいて、該印刷データを前記記憶部に保持および前記記憶部から削除し、
前記第１の端末装置から前記印刷データの削除を指示する削除指示情報を受信した場合は、該印刷データの前記保存期間に該当していても該印刷データを削除する、
ことを特徴とする請求項１乃至３のいずれか一項に記載の印刷システム。
【請求項５】
前記印刷装置は、前記第１の端末装置によって前記印刷データが該印刷装置に送信される際に設定された該印刷データの印刷設定情報に従った印刷出力を行うことを特徴とする請求項１乃至４のいずれか一項に記載の印刷システム。
【請求項６】
印刷装置とネットワークを介して接続された端末装置において、
印刷データを印刷出力する許可を与えるための情報と該印刷データを識別するための情報とを含む許可情報を付加した該印刷データを前記印刷装置に送信する印刷データ送信手段と、
前記印刷装置に送信した前記印刷データを他の端末装置から印刷を指示できるようにするために、該他の端末装置に前記許可情報を送信する許可情報送信手段と、
を有することを特徴とする端末装置。
【請求項７】
印刷装置とネットワークを介して接続された端末装置において、
他の端末装置が前記印刷装置に送信し該印刷装置に記憶されている印刷データを印刷出力する許可を与えられるための情報と該印刷データを識別するための情報とを含む許可情報を該他の端末装置から受信する許可情報受信手段と、
前記許可情報受信手段によって受信した前記許可情報に基づいて、前記印刷装置に対して前記印刷データの印刷を指示するための印刷指示情報を作成する印刷指示情報作成手段と、
前記印刷指示情報作成手段により作成された前記印刷指示情報を前記印刷装置に送信する印刷指示情報送信手段と、
を有することを特徴とする端末装置。
【請求項８】
端末装置とネットワークを介して接続された印刷装置において、
印刷データを印刷出力する許可が与えられているかどうかを判断するための情報と該印刷データを識別するための情報とを含む許可情報が付加された該印刷データを受信する印刷データ受信手段と、
前記印刷データ受信手段によって受信した前記印刷データを記憶する記憶部と、
前記許可情報が含まれ、前記印刷データの印刷が指示される印刷指示情報を受信する印刷指示情報受信手段と、
前記印刷指示情報受信手段によって受信した前記印刷指示情報に含まれる前記許可情報に対応した前記印刷データを前記記憶部から読み出し、該印刷データに基づいて印刷出力する印刷処理部と、
を有することを特徴とする印刷装置。
【請求項９】
端末装置とネットワークを介して接続された印刷装置の制御方法において、
印刷データを印刷出力する許可が与えられているかどうかを判断するための情報と該印刷データを識別するための情報とを含む許可情報が付加された該印刷データを受信する処理と、
前記受信した前記印刷データを記憶部に記憶する処理と、
前記許可情報が含まれ、前記印刷データの印刷が指示される印刷指示情報を受信する処理と、
前記印刷指示情報に含まれる前記許可情報に対応した前記印刷データを前記記憶部から読み出し、該印刷データに基づいて印刷出力する印刷処理と、
を行うことを特徴とする印刷装置の制御方法。